【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
多成分流体混合物から少なくとも第１の成分を分離するための吸着ガス分離プロセスにおいて、前記プロセスは、
ａ．少なくとも前記第１の成分を含む前記多成分流体混合物を第１の圧力閾値以上の圧力で供給ストリームとして少なくとも１つの接触器内の少なくとも１つの吸着材料を備える吸着ガス分離器に流入させ、前記少なくとも１つの接触器内の前記少なくとも１つの吸着材料に前記第１の成分の少なくとも一部を吸着させて前記供給ストリームに対して前記第１の成分が使い果たされる第１の生成物ストリームを形成するとともに、前記少なくとも１つの接触器から前記第１の生成物ストリームを回収するステップと、
ｂ．第２の成分を含む第１の再生ストリームを前記吸着ガス分離器及び前記少なくとも１つの接触器に流入させ、前記少なくとも１つの吸着材料に吸着された前記第１の成分の少なくとも一部を脱着させて前記供給ストリームと比べて前記第１の成分及び前記第２の成分のうちの少なくとも一方が豊富な第２の生成物ストリームを形成するとともに、前記少なくとも１つの接触器及び前記吸着ガス分離器から前記第２の生成物ストリームを回収し、前記第２の生成物ストリームの少なくとも一部を少なくとも第１の凝縮熱交換器に流入させ、前記第２の生成物ストリーム中の前記第２の成分の少なくとも一部を凝縮させて精製された第２の生成物ストリーム及び第１の凝縮物ストリームを形成するとともに、前記第１の凝縮熱交換器を前記吸着分離器に流体接続して、前記少なくとも１つの接触器の少なくとも一部内の圧力を第２の圧力閾値以下の圧力まで低下させ、前記精製された第２の生成物ストリーム及び前記第１の凝縮物ストリームを前記第１の凝縮熱交換器から回収するステップと、
ｃ．調整ストリームを前記少なくとも１つの接触器の少なくとも一部に流入させ、前記少なくとも１つの接触器の少なくとも一部の圧力を前記第２の圧力よりも高い圧力まで増大させて第３の生成物ストリームを形成するとともに、前記第３の生成物ストリームを前記少なくとも１つの接触器から回収するステップと、
を含む吸着ガス分離プロセス。
【請求項２】
前記ステップ（ａ）の後であって前記ステップ（ｃ）の前に、前記少なくとも１つの接触器の第１の部分と前記少なくとも１つの接触器の第２の部分とを流体接続して、前記少なくとも１つの接触器の前記第１の部分の圧力を前記第１の圧力閾値よりも低い圧力まで低下させるとともに、少なくとも１つの接触器の前記第２の部分の圧力を前記第２の圧力閾値よりも高い圧力まで増大させるステップを更に含む請求項１に記載のプロセス。
【請求項３】
前記少なくとも１つの接触器の前記第１の部分と前記少なくとも１つの接触器の複数の第２の部分とを流体接続して、前記少なくとも１つの接触器の前記第１の部分の圧力を前記第１の圧力閾値よりも低い圧力まで低下させるとともに、少なくとも１つの接触器の前記複数の第２の部分の圧力を前記第２の圧力閾値よりも高い圧力まで増大させるステップを更に含む請求項２に記載のプロセス。
【請求項４】
前記ステップ（ｂ）の前に、少なくとも再生前ストリームを前記吸着ガス分離器及び少なくとも１つの接触器の第１の部分に流入させ、前記少なくとも１つの接触器の前記第１の部分内の少なくとも１つの吸着材料に吸着された第１の成分の一部を脱着させて前記供給ストリームと比べて前記第１の成分が豊富な環流ストリームを形成するとともに、前記環流ストリームを前記少なくとも１つの接触器から回収し、前記環流ストリームを少なくとも１つの接触器の第２の部分に流入させ、少なくとも１つの接触器の前記第２の部分内の前記少なくとも１つの吸着材料に吸着された少なくとも１つの成分の少なくとも一部を吸着させて第４の生成物ストリームを形成するとともに、前記第４の生成物ストリームを少なくとも１つの接触器の前記第２の部分から回収するステップを更に含む請求項１〜３のいずれか一項に記載のプロセス。
【請求項５】
前記再生前ストリームを第３の圧力閾値以上の圧力で前記吸着ガス分離器及び少なくとも１つの接触器の前記第１の部分に流入させるステップを更に含む請求項４に記載のプロセス。
【請求項６】
少なくとも１つの接触器の前記第２の部分内の圧力が、前記環流ストリームが流入する直前に第３の圧力閾値よりも低い請求項４に記載のプロセス。
【請求項７】
前記第３の圧力閾値が前記第２の圧力閾値以上である請求項５又は６に記載のプロセス。
【請求項８】
前記再生前ストリームは、前記供給ストリームと比べて前記第２の成分が豊富である請求項４に記載のプロセス。
【請求項９】
前記再生前ストリームが前記第１の再生ストリームの少なくとも一部を含む請求項４に記載のプロセス。
【請求項１０】
前記ステップ（ｂ）の前に、第２の再生ストリームを前記吸着ガス分離器及び少なくとも１つの接触器の前記第１の部分に流入させて、前記第１の再生ストリームの前記第２の成分の少なくとも一部を前記少なくとも１つの吸着材料に吸着させるとともに、前記少なくとも１つの吸着材料に吸着された前記第１の成分の少なくとも一部を脱着させて、前記供給ストリームと比べて前記第１の成分及び前記第２の成分のうちの少なくとも一方が豊富な第５の生成物ストリームを形成し、前記第５の生成物ストリームを前記少なくとも１つの接触器の前記第１の部分から回収するステップを更に含む請求項１〜９のいずれか一項に記載のプロセス。
【請求項１１】
前記ステップ（ｂ）の後に、第３の再生ストリームを前記少なくとも１つの接触器の前記第１の部分に流入させ、前記少なくとも１つの吸着材料に吸着された前記第２の成分の少なくとも一部を脱着させて第６の生成物ストリームを形成するとともに、前記第６の生成物ストリームを前記少なくとも１つの接触器の前記第１の部分から回収するステップを更に含む請求項１〜１０のいずれか一項に記載のプロセス。
【請求項１２】
前記ステップ（ｃ）の前に、第４の再生ストリームを前記少なくとも１つの接触器の前記第１の部分に流入させ、前記少なくとも１つの接触器の前記第１の部分内の前記少なくとも１つの吸着材料に吸着された前記第２の成分の少なくとも一部を脱着させて第７の生成物ストリームを形成するとともに、前記第７の生成物ストリームを前記少なくとも１つの接触器の前記第１の部分から回収するステップを更に含む請求項１〜１１のいずれか一項に記載のプロセス。
【請求項１３】
前記ステップ（ａ）又は（ｂ）の前に、前記第１の成分を含む前記多成分流体混合物を蒸気発生器に流入させ、水ストリームを前記蒸気発生器に流入させて、前記多成分流体混合物からの熱を前記蒸気発生器に伝えて前記水ストリームを高圧蒸気ストリームに変換するとともに、多成分流体混合物の前記少なくとも一部及び前記高圧蒸気ストリームを前記蒸気発生器から回収し、前記高圧蒸気ストリームを第１の蒸気タービンに流入させて前記第１の蒸気タービン内の前記高圧蒸気ストリームを膨張させることにより少なくとも１つの低圧蒸気ストリームを形成し、前記少なくとも１つの低圧蒸気ストリームを前記第１の蒸気タービンから回収するステップを更に含む請求項１〜１２のいずれか一項に記載のプロセス。
【請求項１４】
前記少なくとも１つの低圧蒸気ストリームを前記第１の再生ストリーム又は再生前ストリームの少なくとも一部として使用するステップを更に含む請求項１３に記載のプロセス。
【請求項１５】
前記多成分流体混合物が燃料燃焼器により生成される燃焼後ガスストリームを含む請求項１〜１４のいずれか一項に記載のプロセス。
【請求項１６】
前記ステップ（ｂ）において、前記圧力の低下は、前記第１の凝縮熱交換器及び／又はポンプのうちの少なくとも一方によってもたらされる請求項１〜１５のいずれか一項に記載のプロセス。
【請求項１７】
前記ステップ（ｂ）において、前記精製された第２の生成物ストリームをポンプ及び弁のうちの少なくとも一方に流入させて、前記少なくとも１つの接触器の少なくとも一部内の圧力を第２の圧力閾値以下の圧力に維持するとともに、前記精製された第２の生成物ストリームを前記ポンプ及び前記弁のうちの少なくとも一方から回収するステップを更に含む請求項１〜１６のいずれか一項に記載のプロセス。
【請求項１８】
前記ポンプは、排出装置、真空ポンプ、及び、圧縮機のうちの少なくとも１つを備える請求項１６又は１７に記載のプロセス。
【請求項１９】
前記精製された第２の生成物ストリームを第２の凝縮器に流入させて、前記精製された第２の生成物ストリームからの前記第２の成分を凝縮させるとともに、前記精製された第２の生成物ストリームを前記第２の凝縮器から回収するステップを更に含む請求項１〜１７のいずれか一項に記載のプロセス。
【請求項２０】
前記精製された第２の生成物ストリームを水封式真空ポンプに流入させて、前記第２の成分の少なくとも一部を前記精製された第２の生成物ストリームから分離するステップを更に含む請求項１〜１９のいずれか一項に記載のプロセス。